(57)【特許請求の範囲】
【請求項１】
前面に開口する貯蔵室を備え、該貯蔵室内の右側面の前後、左側面の前後及び背面中央の上下に渡って取り付けられた支柱に、棚受を介して棚を架設して成る冷却貯蔵庫において、
前記棚は、前記貯蔵室の左右方向における何れか一側から略中央まで渡る寸法を有し、前記棚の後隅部の一方と該後隅部の前方に位置する一方の前隅部は前記貯蔵室の左右いずれかの側面の前後に設けられた前記支柱にそれぞれ支持され、前記棚の後隅部の他方は前記貯蔵室の背面中央に設けられた前記支柱に支持され、前記棚の他方の前隅部は前記支柱に支持されておらず、該支柱に支持される隅部には、斜め下方に延在して前記前隅部および前記後隅部が支持される前記貯蔵室の背面及び側面の隅部形状に沿ってそれらに近接若しくは当接する浮き上がり防止部が設けられており、
前記浮き上がり防止部は、前記棚受を回避した形状を呈していることを特徴とする冷却貯蔵庫。
【請求項２】
前記貯蔵室の開口を開閉自在に閉塞する観音開き式の扉と、一方の前記扉の非枢支側に取り付けられた回転式の仕切部材とを備えたことを特徴とする請求項１に記載の冷却貯蔵庫。
【発明の詳細な説明】
【技術分野】
【０００１】
本発明は、前面に開口する貯蔵室内に上下に渡って支柱を取り付け、この支柱に棚受を介して棚を架設して成る冷却貯蔵庫に関するものである。
【背景技術】
【０００２】
従来より例えば業務用冷蔵庫では、断熱箱体内に前面に開口する貯蔵室を構成し、この開口を観音開き式の扉にて開閉自在に閉塞している。また、回転自在の仕切部材を一方の扉の非枢支側に取り付け、当該扉が閉じられた状態では仕切部材の前面を貯蔵室の開口縁において前方に指向させ、両扉のガスケットの当接面を形成すると共に、一方の扉を開く動作にて他方の扉を避けるように仕切部材を回転させることにより、一方の扉の開放にて仕切部材を開口縁から撤去し、貯蔵室の開口全体を開放させていた。これにより、両扉の独立した開閉動作を許容しながら、前面開口部を仕切る縦仕切部材を廃止し、物品（食品）の納出時の利便性も向上させていた（例えば、特許文献１参照）。
【先行技術文献】
【特許文献】
【０００３】
【特許文献１】特開平１１−２１１３３５号公報
【発明の概要】
【発明が解決しようとする課題】
【０００４】
しかしながら、上記公報の如く貯蔵室の前面開口中央部に上下に渡る仕切部材を断熱箱体に取り付けない場合、貯蔵室内に架設される棚が当該公報に示されるような、貯蔵室の左右全幅に渡る寸法を有したものであれば問題が無いが、これでは高さの高い物品を収納したい場合、棚相互の間隔を大きくしなければならなくなり、左右方向において無駄な空間が発生してしまう。
【０００５】
そこで、棚の幅を貯蔵室の左右方向における寸法の略半分の寸法として貯蔵室の左右に段違いで架設できるようにすれば、係る高さ寸法の大きい物品を収納する領域（左右の一方）のみ棚の間隔を大きくすれば済むようになるが、上述のように貯蔵室の前面開口中央部に縦仕切部材が存在しない場合、左右に架設する棚の前部の何れか一方の隅部のみが支持され、他方の隅部は支持することができなくなり、この部分に荷重が加わると、それと対称の位置に来る後部の一方の隅部が浮き上がって棚受から棚が外れてしまう問題があった。
【０００６】
本発明は、係る従来の技術的課題を解決するために成されたものであり、棚の前部の片方の隅部が支柱に支持されない場合にも、支障なく棚を架設することができる冷却貯蔵庫を提供するものである。
【課題を解決するための手段】
【０００７】
上記課題を解決するために、本発明の冷却貯蔵庫は、前面に開口する貯蔵室を備え、この貯蔵室内の右側面の前後、左側面の前後及び背面中央の上下に渡って取り付けられた支柱に、棚受を介して棚を架設して成るものであって、棚は、貯蔵室の左右方向における何れか一側から略中央まで渡る寸法を有し、棚の後隅部の一方とこの後隅部の前方に位置する一方の前隅部は貯蔵室の左右いずれかの側面の前後に設けられた支柱にそれぞれ支持され、棚の後隅部の他方は貯蔵室の背面中央に設けられた支柱に支持され、棚の他方の前隅部は支柱に支持されておらず、この支柱に支持される隅部には、斜め下方に延在して前隅部および後隅部が支持される貯蔵室の背面及び側面の隅部形状に沿ってそれらに近接若しくは当接する浮き上がり防止部が設けられており、浮き上がり防止部は、棚受を回避した形状を呈していることを特徴とする。
【０００８】
請求項２の発明の冷却貯蔵庫は、上記発明において貯蔵室の開口を開閉自在に閉塞する観音開き式の扉と、一方の扉の非枢支側に取り付けられた回転式の仕切部材とを備えたことを特徴とする。
【発明の効果】
【０００９】
本発明によれば、前面に開口する貯蔵室を備え、この貯蔵室内に上下に渡って取り付けられた支柱に、棚受を介して棚を架設して成る冷却貯蔵庫において、棚は、貯蔵室の左右方向における何れか一側から略中央まで渡る寸法を有するものとしているので、貯蔵室内において左右の棚を段違いで架設することにより、高さ寸法の高い物品も効率よく収納することができるようになる。
【００１０】
ここで、冷却貯蔵庫を、請求項２の如く貯蔵室の開口を開閉自在に閉塞する観音開き式の扉と、一方の扉の非枢支側に取り付けられた回転式の仕切部材とを備えたものとした場合、両扉を開放したときに貯蔵室の前面開口に縦仕切部材が無くなるために、棚後部の両隅部と前部の一方の隅部のみが支柱に支持されることになる。そのため、支柱に支持されない棚前部の他方の隅部に荷重が加わると、支柱に支持されている残りの隅部が持ち上げられることになるが、本発明では支柱に支持される隅部に、斜め下方に延在して貯蔵室の内面に近接、若しくは、当接する浮き上がり防止部を設けているので、これら隅部が持ち上げられようとすると、この浮き上がり防止部が貯蔵室の内面に当接してそれ以上持ち上げられなくなる。
【００１１】
これにより、棚前部の他方の隅部に荷重が加わった場合にも、支柱に支持されている残りの隅部が浮き上がってしまう不都合を効果的に防止することができるようになるものである。
【００１２】
また、貯蔵室の背面中央に設けられた支柱に、当該支柱の左右に架設される棚の後隅部を支持させるようにしているので、貯蔵室の背面に設ける支柱を、貯蔵室の左右に架設される棚の双方で使用することが可能となり、部品点数の削減を図ることができるようになるものである。
【００１３】
また、浮き上がり防止部を、棚受を回避した形状としているので、棚受を介して支障なく支柱に棚を架設することができるようになるものである。
【図面の簡単な説明】
【００１４】
【図１】本発明を適用した冷却貯蔵庫の断熱箱体の正面図である。
【図２】本発明を適用した冷却貯蔵庫の向かって右半分の平断面図である。
【図３】本発明を適用した冷却貯蔵庫の向かって左半分の平断面図である。
【図４】本発明を適用した冷却貯蔵庫の向かって右側に架設される棚の平面図である。
【図５】図４の棚のＡ−Ａ線断面図である。
【図６】図４の棚のＢ−Ｂ線断面図である。
【図７】図４の棚の右側面図である。
【図８】図４の棚の左側面図である。
【図９】本発明を適用した冷却貯蔵庫の向かって左側に架設される棚の平面図である。
【発明を実施するための形態】
【００１５】
以下、本発明の実施の形態について、図面に基づいて詳細に説明する。実施例の冷却貯蔵庫１は、レストランや食堂等の飲食店、ホテル等の厨房に設置される業務用冷蔵庫（冷蔵のみ、冷凍のみ、冷凍冷蔵の何れも含む）であり、金属製の外箱２及び内箱３と、これら外箱２及び内箱３間に充填された図示しない発泡断熱材から成り、前面に開口する断熱箱体４により本体が構成されている。そして、この内箱３内に前面に開口する貯蔵室６が構成されている。
【００１６】
尚、断熱箱体４の天面には図示しない機械室が構成され、この機械室内には貯蔵室６内を所定の温度（冷蔵、或いは、冷凍温度）に冷却するための冷却装置が設置されているものとする。
【００１７】
貯蔵室６の前面開口は、断熱箱体４の開口縁の上下方向の中央部に取り付けられた横仕切部材７によって上下に区画されており、この横仕切部材７の後方には図示しない棚が架設されているものとする。また、貯蔵室６の上下の開口は、観音開き式の一対の扉（断熱扉）８、９によって開閉自在にそれぞれ閉塞される（図１では扉８、９は示していない）。
【００１８】
向かって右側の扉８は、向かって右端の上下を回動自在に断熱箱体４に枢支されており、内面周囲にはガスケット１１が取り付けられている。また、断熱扉８の非枢支側となる向かって左側内面には、回転式の仕切部材１２が上下に渡って取り付けられている。また、向かって左側の扉９は、向かって左端の上下を回動自在に断熱箱体４に枢支されており、内面周囲には同じくガスケット１１が取り付けられている。
【００１９】
そして、図２や図３のように各扉８、９が閉じている場合、仕切部材１２の前面に両扉８、９のガスケット１１が当接する。そして、扉８を開いていくと、断熱箱体４に設けられた図示しない案内構造により仕切部材１２が扉９を避けるかたちで回転し、扉８と共に貯蔵室６外に出る。そして、また扉８を閉じていくと仕切部材１２は扉９を避けながら逆に回転し、図２の状態に戻る。これにより、扉８、９は独立して開閉可能となる。また、両扉８、９を開放した状態では、断熱箱体４（貯蔵室６）の前面開口縁には縦仕切が無くなるので、係る縦仕切に邪魔されること無く、貯蔵室６の前面開口の全幅を使用して物品の納出を行うことが可能となり、利便性が高くなる。
【００２０】
一方、貯蔵室６の内面（内箱３の内面）となる右側面、左側面の前後には、支柱１３、１４、１５、１６が上下に渡って取り付けられており、貯蔵室６の内面となる背面中央にも支柱１７が上下に渡って取り付けられている。各支柱１３〜１７には上下に所定の間隔を存して後述する棚受１８を係脱自在に取り付けるための係合孔１９が複数形成されている。そして、これら支柱１３〜１７に棚受１８を介して向かって右側と左側に金属製の棚２１、２２が貯蔵室６内に架設される（図１〜図３では棚受１８は示さない）。
【００２１】
次に、この棚２１、２２について説明する。尚、貯蔵室６内の向かって左側に架設される棚２２（図９）は、向かって右側に架設される棚２１（図４）と左右対称の形状を呈している。そのため、図９において図４中と同一符号を付した部分は、図４と左右対称形状で同一の機能を奏する部分であるものとし、棚２２の詳細な説明を省略する。
【００２２】
棚２１は、矩形状の枠２３と、枠２３の内側に左右に渡って取り付けられた複数の横桟２４と、枠２３及び横桟２４の下面に前後に渡って取り付けられた複数の縦桟２５と、枠２３の上面に前後に渡って取り付けられた複数の線条２６とから成り、物品の載置面を構成する網棚部２７と、枠２３の後辺の向かって左側（貯蔵室６の中央側）に後方に突出して取り付けられた支持部２８と、枠２３の向かって左側（貯蔵室６の中央側）の辺に前後に渡って取り付けられ、起立するガード２９と、縦桟２５の下面に取り付けられ、全体としては矩形枠状を呈する浮き上がり防止部材３１とから構成され、貯蔵室６の左右方向における一側から略中央、実施例では中央を他側まで少許超えた位置まで渡る幅寸法を有し、前後は貯蔵室６より少許小さい寸法を有している。
【００２３】
浮き上がり防止部材３１は、略矩形状の枠３２と、枠３２の内側にて左右に渡る複数の横桟３３とから成り、枠３２の後部の向かって左側及び右側、前部の向かって右側の隅部下面には、斜め下方に延在する浮き上がり防止部３６、３７、３８が張り出して取り付けられている。そして、棚２１は支柱１７から見て左側（前方から向かって右側）の貯蔵室６内に挿入され、枠２３の向かって右側の辺の前後が棚受１８を介して支柱１３、１４に支持され、支持部２８が棚受１８を介して支柱１７に支持される。これによって、棚２１は後部の左右両隅部と前部の向かって右側の隅部が支柱１７、１４、１３に支持され、前部の向かって左側（貯蔵室６の中央側）は支持されず、宙に浮いた状態で貯蔵室６内に架設される。
【００２４】
この場合、図２に示す如く浮き上がり防止部３７は支柱１４を避けたかたちで貯蔵室６（内箱３）の背面及び右側面（何れも貯蔵室６の内面）の隅部形状に沿っており、それらに近接若しくは当接する。また、浮き上がり防止部３８は支柱１３を避けたかたちで貯蔵室６（内箱３）の右側面（貯蔵室６の内面）に近接若しくは当接する。更に、浮き上がり防止部３６は貯蔵室６（内箱３）の背面（貯蔵室６の内面）と略面一となって背面の一部を構成する支柱１７に近接若しくは当接する。また、図５〜図８に示すように各浮き上がり防止部３６〜３８は、棚受１８を回避する形状を呈して斜め下方に延在している。
【００２５】
棚２２も棚２１と左右対称の形状で同様の網棚部２７と浮き上がり防止部３１を備える（図９）。そして、棚２２は支柱１７から見て右側（前方から向かって左側）の貯蔵室６内に挿入され、枠２３の向かって左側の辺の前後が棚受１８を介して支柱１５、１６に支持され、支持部２８が棚受１８を介して支柱１７に支持される。但し、棚２１とは異なる高さに段違いで架設する。これによって、棚２２は後部の左右両隅部と前部の向かって左側の隅部が支柱１６、１７、１５に支持され、前部の向かって右側（貯蔵室６の中央側）は支持されず、宙に浮いた状態で貯蔵室６内に架設される。
【００２６】
この場合、図３に示す如く浮き上がり防止部３７は支柱１６を避けたかたちで貯蔵室６（内箱３）の背面及び左側面（何れも貯蔵室６の内面）の隅部形状に沿っており、それらに近接若しくは当接する。また、浮き上がり防止部３８は支柱１５を避けたかたちで貯蔵室６（内箱３）の左側面（貯蔵室６の内面）に近接若しくは当接する。更に、浮き上がり防止部３６は貯蔵室６（内箱３）の背面（貯蔵室６の内面）と略面一となって背面の一部を構成する支柱１７に近接若しくは当接する。
【００２７】
このようにして支柱１７の左右の貯蔵室６内には棚２１と棚２２が段違いで架設されるので、高さの高い物品を載置収納する場合にも、効率よく収納できるようになる（図１）。この場合、棚２１の前部向かって左側及び棚２２の前部向かって右側は支柱に支持されずに宙に浮いた状態となっているので、この部分に荷重が加えられた場合、棚２１の場合は前部の向かって右側と後部の向かって左側の隅部を支点として回転し、後部の向かって右側の隅部が最も大きく持ち上げられるかたちでこれら三つの隅部が持ち上げられるようになる。また、棚２２の場合には前部の向かって左側と後部の向かって右側の隅部を支点として回転し、後部の向かって左側の隅部が最も大きく持ち上げられるかたちでこれら三つの隅部が持ち上げられるようになる。
【００２８】
しかしながら、本発明では棚２１の場合にはこれら支柱１３、１４、１７で支持される三つの隅部に、貯蔵室６の内面に近接若しくは当接する浮き上がり防止部３８、３７、３６を備えているので、これら隅部が持ち上げられようとすると、各浮き上がり防止部３８、３７、３６が貯蔵室６の内面に当接し、浮き上がらなくなる。また、棚２２の場合にはこれら支柱１５、１６、１７で支持される三つの隅部に、貯蔵室６の内面に近接若しくは当接する浮き上がり防止部３８、３７、３６を備えているので、これら隅部が持ち上げられようとすると、各浮き上がり防止部３８、３７、３６が貯蔵室６の内面に当接し、浮き上がらなくなる。
【００２９】
これにより、棚２１、２２前部の宙に浮いている隅部に荷重が加わった場合にも、支柱１３〜１７に支持されている残りの隅部が浮き上がってしまう不都合を効果的に防止することができるようになる。
【００３０】
また、貯蔵室６の背面中央に設けられた支柱１７に、当該支柱１７から見て左右に架設される棚２１、２２の後隅部の支持部２８を支持させているので、貯蔵室６の背面に設ける支柱１７を、貯蔵室６の左右に架設される棚の双方で使用することが可能となり、部品点数の削減を図ることができるようになる。
【００３１】
また、各浮き上がり防止部３６〜３８は、棚受１８を回避した形状とされているので、棚受１８を介して支障なく支柱１３〜１７に棚２１、２２を架設することができるようになる。更に、棚２１、２２の中央側にはガード２９が立設されているので、ここからの物品の落下も防止することができる。
【符号の説明】
【００３２】
１  冷却貯蔵庫
４  断熱箱体
６  貯蔵室
８、９  扉
１２  仕切部材
１３〜１７  支柱
１８  棚受
２１、２２  棚
３６〜３８  浮き上がり防止部
【図１】
0005554084.tif 000002
【図２】
0005554084.tif 000003
【図３】
0005554084.tif 000004
【図４】
0005554084.tif 000005
【図５】
0005554084.tif 000006
【図６】
0005554084.tif 000007
【図７】
0005554084.tif 000008
【図８】
0005554084.tif 000009
【図９】
0005554084.tif 000010